(57)【要約】【課題】本体と蓋との隙間からドレン水が外に漏れるおそれを低減することができる除湿機のドレンタンクの提供。【解決手段】除湿機のドレンタンク４０は、容器本体と、蓋３０とを備える。容器本体は、その上方が開口している。蓋３０は、開口を覆うことが可能である。また、蓋３０は、折曲げ部３５と、リブとを有する。折曲げ部３５は、容器本体内に貯まったドレン水を排出するときに開口の一部を開放するように折曲げることができる。リブは、折曲げ部３５近傍から下方に延びている。さらに、リブは、第１リブ３６ａと第２リブ３６ｂとを含む。第１リブ３６ａは、折曲げ部３５の折曲げ中心線に沿って延びている。第２リブ３６ｂは、折曲げ中心線を挟んで第１リブ３６ａに対向している。【選択図】図７
2015007483.tif 000002
【特許請求の範囲】
【請求項１】
上方が開口した本体（２０）と、
前記開口を覆うことが可能な蓋（３０）と、
を備え、
前記蓋は、前記本体内に貯まったドレン水を排出するときに前記開口の一部を開放するように折曲げ可能な折曲げ部（３５）と、前記折曲げ部近傍から下方に延びるリブ（３６）と、を有し、
前記リブは、前記折曲げ部の折曲げ中心線（Ｌ）に沿って延びる第１リブ（３６ａ）と、前記折曲げ中心線を挟んで前記第１リブに対向する第２リブ（３６ｂ）とを含む、
除湿機（１０）のドレンタンク（４０）。
【請求項２】
前記開口が前記蓋に覆われた状態で、
前記本体は、前記折曲げ中心線の一端側に位置する第１側面部（２５ａ）と、前記折曲げ中心線の他端側に位置する第２側面部（２５ｂ）とを含み、
前記第１リブ及び前記第２リブは、前記第１側面部近傍から前記第２側面部近傍まで延びている、
請求項１に記載の除湿機のドレンタンク。
【請求項３】
前記本体は、外側に向かって膨出した膨出部（２１ｂ）を有し、
前記開口が前記蓋に覆われた状態で、前記折曲げ部は前記膨出部近傍に位置している、
請求項１又は２に記載の除湿機のドレンタンク。
【請求項４】
前記蓋は、前記開口を閉じるときに前記本体の上端周縁部（２３）に嵌る嵌合部（３１）を有する、
請求項１から３のいずれか１項に記載の除湿機のドレンタンク。
【請求項５】
前記本体の側面部は、その内面から内側に突出する突起部（２４）を有し、
前記第１リブ及び前記第２リブは、前記突起部の側方に位置している、
請求項１から４のいずれか１項に記載の除湿機のドレンタンク。
【発明の詳細な説明】
【技術分野】
【０００１】
本発明は、除湿機のドレンタンクに関する。
【背景技術】
【０００２】
従来より、蒸発器で結露するドレン水を貯めるためのドレンタンクを備える除湿機がある。このようにドレン水がドレンタンクに貯められる除湿機には、例えば、特許文献１（特開２００３−９７８２３号公報）のように、ドレンタンクに一定水量のドレン水が貯まって満水状態になると、ユーザがドレンタンクを持ち運んでドレン水を捨てに行く作業を必要とするものが多い。
【発明の概要】
【発明が解決しようとする課題】
【０００３】
ところで、ドレン水の貯まったドレンタンクが持ち運ばれる際にドレンタンクからドレン水がこぼれないように、ドレンタンクの本体に蓋を設けることが考えられる。しかしながら、ドレンタンクの本体と蓋との間に隙間があると、ドレンタンクが持ち運ばれる際にこの隙間からドレン水が外に漏れるおそれがある。
【０００４】
そこで、本発明の課題は、本体と蓋との隙間からドレン水が外に漏れるおそれを低減することができる除湿機のドレンタンクを提供することにある。
【課題を解決するための手段】
【０００５】
本発明の第１観点に係る除湿機のドレンタンクは、本体と、蓋とを備える。本体は、その上方が開口している。蓋は、前記開口を覆うことが可能である。また、蓋は、折曲げ部と、リブとを有する。折曲げ部は、本体内に貯まったドレン水を排出するときに開口の一部を開放するように折曲げることができる。リブは、折曲げ部近傍から下方に延びている。さらに、リブは、第１リブと第２リブとを含む。第１リブは、折曲げ部の折曲げ中心線に沿って延びている。第２リブは、折曲げ中心線を挟んで第１リブに対向している。
【０００６】
ここで、本体と蓋とを備えるドレンタンクにおいて蓋が折曲げ部を有している場合、本体の開口が蓋に覆われた状態であっても本体の上端周縁部と折曲げ部との間には隙間が生じる傾向にある。
【０００７】
そこで、本発明の第１観点に係る除湿機のドレンタンクでは、蓋が折曲げ部の折曲げ中心線に沿って延びる第１リブと折曲げ中心線を挟んで第１リブに対向する第２リブとを有していることで、本体の上端周縁部と折曲げ部との間に隙間が生じていたとしても、ドレンタンクが持ち運ばれる際にドレン水が該隙間から外に出にくくなる。
【０００８】
これによって、本体と蓋との隙間からドレン水が外に漏れるおそれを低減することができる。
【０００９】
本発明の第２観点に係る除湿機のドレンタンクは、第１観点の除湿機のドレンタンクにおいて、本体は、第１側面部と第２側面部とを含む。第１側面部は、前記開口が蓋に覆われた状態で、折曲げ中心線の一端側に位置する。第２側面部は、前記開口が蓋に覆われた状態で、折曲げ中心線の他端側に位置する。また、前記開口が蓋に覆われた状態で、第１リブ及び第２リブは、第１側面部近傍から第２側面部近傍まで延びている。
【００１０】
この除湿機のドレンタンクでは、第１リブ及び第２リブが第１側面部近傍から第２側面部近傍まで延びているため、折曲げ部の下側には少なくとも蓋の下面部、第１リブ及び第２リブによって規定される空間が生じ、本体内にドレン水が貯まっても該空間においてドレン水の水面よりも上部には空気が溜まることになる。このように該空間に空気が溜まっていることで、本体の上端周縁部と折曲げ部との間に隙間が生じていたとしても、ドレン水が該空間に到達し難くなり、この結果ドレン水が該隙間から外に出にくくなる。
【００１１】
これによって、本体と蓋との隙間からドレン水が外に漏れるおそれを低減することができる。
【００１２】
本発明の第３観点に係る除湿機のドレンタンクは、第１観点又は第２観点の除湿機のドレンタンクにおいて、本体は、外側に向かって膨出した膨出部を有する。また、前記開口が蓋に覆われた状態で、折曲げ部は膨出部近傍に位置している。
【００１３】
ここで、膨出部側が下になるようにドレンタンクを傾けた場合、膨出部側が上になるようにドレンタンクを傾けた場合と比較して本体内に貯められているドレン水の流れる勢いが増加する。このため、膨出部近傍ではドレン水の水面に大きな波が生じやすくなっている。したがって、折曲げ部と本体の上端周縁部との間に隙間がある場合に膨出部近傍に折曲げ部が位置していると、膨出部近傍以外の部分に折曲げ部が位置しているよりも該隙間からドレン水が外に漏れやすくなる。
【００１４】
この除湿機のドレンタンクでは、ドレン水が外に漏れやすい位置である膨出部近傍に折曲げ部が位置している一方で、折曲げ部の折曲げ線に沿ってリブが設けられていることで該隙間からドレン水が漏れにくくなっている。
【００１５】
本発明の第４観点に係る除湿機のドレンタンクは、第１観点から第３観点のいずれかの除湿機のドレンタンクにおいて、蓋は、前記開口を閉じるときに本体の上端周縁部に嵌る嵌合部を有する。この除湿機のドレンタンクでは、蓋が嵌合部を有していることで、蓋が本体から外れるおそれを低減することができるため、ドレンタンクが持ち運ばれる際にドレン水が本体からこぼれるおそれを低減することができる。
【００１６】
本発明の第５観点に係る除湿機のドレンタンクは、第１観点から第４観点のいずれかの除湿機のドレンタンクにおいて、本体の側面部は、その内面から内側に突出する突起部を有する。また、第１リブ及び第２リブは、突起部の側方に位置している。この除湿機のドレンタンクでは、本体が突起部を有していることで、本体の上端周縁部と折曲げ部との間に隙間が生じていたとしても、本体内で飛び跳ねたドレン水が突起部に遮られて該隙間まで到達し難くなる。
【００１７】
これによって、本体と蓋との隙間からドレン水が外に漏れるおそれを更に低減することができる。
【発明の効果】
【００１８】
本発明の第１観点に係る除湿機のドレンタンクでは、本体と蓋との隙間からドレン水が外に漏れるおそれを低減することができる。
【００１９】
本発明の第２観点に係る除湿機のドレンタンクでは、本体と蓋との隙間からドレン水が外に漏れるおそれを低減することができる。
【００２０】
本発明の第３観点に係る除湿機のドレンタンクでは、折曲げ部と本体の上端周縁部との間の隙間からドレン水が外に漏れ難くなる。
【００２１】
本発明の第４観点に係る除湿機のドレンタンクでは、ドレンタンクが持ち運ばれる際にドレン水が本体からこぼれるおそれを低減することができる。
【００２２】
本発明の第５観点に係る除湿機のドレンタンクでは、本体と蓋との隙間からドレン水が外に漏れるおそれを更に低減することができる。
【図面の簡単な説明】
【００２３】
【図１】本発明の一実施形態に係るドレンタンクを備えた除湿機の斜視図。
【図２】本発明の一実施形態に係るドレンタンクを備えた除湿機の斜視図。
【図３】本発明の一実施形態に係るドレンタンクを備えた除湿機の縦断面図。
【図４】除湿部の備える配管系統図の模式図。
【図５】ドレンタンクの斜視図。
【図６】ドレンタンクの平面図。
【図７】ドレンタンクの縦断面図（図６のVII−VII断面に相当）。
【図８】膨出部周辺の断面図。
【図９】排水部周辺の断面図であって、ドレン水を排出するときの容器本体及び蓋の状態を説明するための図。
【図１０】排水部周辺の断面図であって、ドレンタンクが傾けられたときのドレン水の状態を説明するための図。
【図１１】排水部周辺の断面図であって、ドレンタンクが傾けられたときのドレン水の状態を説明するための図。
【図１２】変形例Ａに係るドレンタンクの膨出部周辺の斜視図。
【図１３】変形例Ａに係るドレンタンクの排出部周辺の縦断面図。
【図１４】変形例Ａに係るドレンタンクの膨出部周辺の斜視図。
【図１５】変形例Ａに係るドレンタンクの膨出部周辺の斜視図。
【図１６】変形例Ａに係るドレンタンクの排出部周辺の縦断面図。
【図１７】変形例Ａに係るドレンタンクの膨出部周辺の斜視図。
【図１８】変形例Ａに係るドレンタンクの排出部周辺の縦断面図。
【図１９】変形例Ａに係るドレンタンクの縦断面図（図１８のXIX-XIX）断面に相当）。
【図２０】変形例Ｃに係るドレンタンクの膨出部周辺の平面図。
【発明を実施するための形態】
【００２４】
以下、図面を参照しながら、本発明の一実施形態に係るドレンタンク４０を備えた除湿機能付き空気清浄機１０（除湿機）について説明する。なお、以下の実施形態は、本発明の具体例であって、本発明の技術的範囲を限定するものではない。
【００２５】
（１）空気清浄機１０の構成
図１は、空気清浄機１０を斜め前方から視たときの空気清浄機１０の斜視図である。また、図２は、空気清浄機１０を斜め前方から視たときの空気清浄機１０の斜視図であって、ドレンタンク４０が取り出された状態を示している。図１及び図２において、空気清浄機１０は、本体１００を備えている。空気清浄機１０は除湿機能と空気清浄機能とを有しており、ユーザは、空気清浄運転又は除湿運転を選択することができる。なお、ユーザは、空気清浄機能だけを選択することができるが、除湿機能を選択したときは空気清浄機能が伴うことになる。
【００２６】
（２）詳細構成
（２−１）本体１００
本体１００は、前面パネル１１０、ケーシング１２０、及び操作パネル１３０を有する。前面パネル１１０は、ケーシング１２０の前方に保持されている。操作パネル１３０は、ケーシング１２０の天面に固定されている。また、操作パネル１３０には、空気清浄機１０の運転及び停止を選択する電源スイッチや、除湿機能の実行及び中止を選択する除湿スイッチなどが搭載されており、各スイッチ操作による信号は、本体１００内に内蔵されている制御部（図示せず）に伝送される。
【００２７】
また、本体１００の側部には、室内の空気を本体１００内に吸い込むための吸込口１４０が設けられている。吸込口１４０は、前面パネル１１０の側部とケーシング１２０の側部との間に位置している。さらに、本体１００の上部には、本体１００内から室内に空気を吹き出すための吹出口１５０が設けられている。吹出口１５０は、ケーシング１２０の上部であって、操作パネル１３０の後方に位置している。
【００２８】
さらに、ケーシング１２０の側面下部には、開口１２０ａが形成されている。ケーシング１２０内には、この開口１２０ａからケーシング１２０の奥側に向って空間Ｓ１が形成されており、この空間Ｓ１にドレンタンク４０が収納されている。また、通常、開口１２０ａは、ドレンタンク４０によって閉じられている（図１及び図２参照）。
【００２９】
（２−２）フィルタ１６０
図３は、空気清浄機１０の縦断面図である。フィルタ１６０は、ケーシング１２０の前面に装着されており、吸込口１４０から吸い込まれた空気は、フィルタ１６０を通過するように配置されている。フィルタ１６０は、通過する空気に含まれる埃の除去及び不快な臭い成分を吸収することができる。
【００３０】
（２−３）除湿部１７０
図４は、除湿部１７０の備える配管系統を示す図である。除湿部１７０は、本体１００内に収納されており、図４に示すように、主に圧縮機１７１と、凝縮器１７２と、膨張手段１７３と、蒸発器１７４と、アキュムレータ１７５とを有する配管系統を備えている。
【００３１】
圧縮機１７１は、例えばロータリ式やスクロール式の密閉型圧縮機である。圧縮機１７１は、吸入したガス冷媒を圧縮する。また、アキュムレータ１７５は、圧縮機１７１への液冷媒の流入を防止するために配備されている。
【００３２】
蒸発器１７４は、例えばクロスフィン型式の熱交換器であって、図３に示すように、フィルタ１６０の後方（空気流れ下流側）に配置されている。また、本実施形態では、蒸発器１７４を鉛直方向に切断した場合に、伝熱管が空気の流れ方向に前後して２列に配置されている。
【００３３】
凝縮器１７２は、例えばクロスフィン型式の熱交換器であって、図３に示すように、蒸発器１７４の後方（空気流れ下流側）に配置されている。また、本実施形態では、凝縮器１７２を鉛直方向に切断した場合に、伝熱管が空気の流れ方向に前後して１列に配置されている。
【００３４】
圧縮機１７１で圧縮されて吐出した冷媒は、凝縮器１７２へと流れて凝縮器１７２において凝縮される。凝縮器１７２において凝縮された冷媒は、膨張手段１７３としてのキャピラリーによって減圧され、その後蒸発器１７４へと流れる。蒸発器１７４に至った冷媒は、蒸発器１７４において蒸発した後、アキュムレータ１７５を経て圧縮機１７１へと吸入される。
【００３５】
また、図３に示すように、蒸発器１７４及び凝縮器１７２の下方には、蒸発器１７４で発生する結露水を受けるためのドレンパン１８０が配置されている。蒸発器１７４で発生したドレン水は、ドレンパン１８０で受けられ、その後ドレンパン１８０の下方に配置されたドレンタンク４０へと流れる。
【００３６】
（２−４）ドレンタンク４０
図５は、ドレンタンク４０の斜視図である。図６は、ドレンタンク４０の平面図である。図７は、ドレンタンク４０の縦断面図である。図８は、膨出部２１ｂ周辺の断面図である。図９は、ドレンタンク４０の排水部周辺の縦断面図であって、ドレン水排出時の様子を示している。
【００３７】
ドレンタンク４０は、蒸発器１７４で発生したドレン水を貯めるために用いられるものであって、容器本体２０（本体）と、蓋３０と、取っ手５０と、備えている。
【００３８】
（２−４−１）容器本体２０
容器本体２０は、上方が開口した箱状の本体部２１と、化粧パネル２２と、を有している。本体部２１は、上方から流れてくるドレン水を貯留することができるように上方を広く開口しており、本実施形態では図６に示すように、平面視において外側に向かって膨出した膨出部２１ｂを有している。膨出部２１ｂは、平面視において、角形部２１ａの化粧パネル２２側とは反対側にある辺の端部から長方形状に延びている。なお、本体部２１の形状はこれに限定されるものではなく、例えば、角形部２１ａ及び／又は膨出部２１ｂの形状が、三角形、正方形、五角形等の多角形状であってもよく、或いは球形であってもよい。すなわち、本体部２１の形状は、上方から流れてくるドレン水を貯留できるように上方が開口した形状であればどのような形状でもよく、ケーシング１２０内に形成される空間Ｓ１の形状に応じて変更されてもよい。また、本実施形態では、膨出部２１ｂは、本体部２１内に貯まったドレン水を排出するための排水部として機能する。
【００３９】
化粧パネル２２は、角形部２１ａの一側面部の外側に固定されており、ドレンタンク４０が本体１００に収納された状態でケーシング１２０の側面と化粧パネル２２の外面とが面一となるように形成されている（図１参照）。化粧パネル２２には、内側に向かって窪んだ屈曲部２２ａが設けられており、ユーザが屈曲部２２ａに指を入れて手前に引くことによって、本体１００からドレンタンク４０が引き出される。
【００４０】
また、容器本体２０には、本体部２１内の水量（水面高さ）を検知するための検知センサ（図示せず）が設けられている。検知センサは、例えばフロートスイッチ等で構成されており、本体部２１内のドレン水の水面高さが所定高さ以上になると制御部に所定の信号を送信する。制御部は、検知センサから該信号を受信すると、それ以上ドレン水が発生しないように除湿機能を停止して空気清浄機能のみを継続させるとともに、操作パネル１３０に設けられている報知部１３０ａ（図１参照）を点灯させてドレンタンク４０が満水状態でありドレン水を捨てる必要がある旨をユーザに対して報知する。なお、該信号が送信される時の水面高さは、検知センサから該信号が送信された後に除湿機能が停止されても本体部２１内からドレン水が溢れない位置に設計されており、本実施形態では、本体部２１内に貯まったドレン水の水面高さが本体部２１の上端周縁部２３よりも下側の位置に設定されている。
【００４１】
（２−４−２）蓋３０
蓋３０は、樹脂（例えばポリエチレン樹脂等）製であって、容器本体２０の開口を覆うことができるように構成されている。また、蓋３０には排水導入口３０ａが形成されており、ドレンパン１８０から流れてきたドレン水が蓋３０の排水導入口３０ａから容器本体２０内へと流れる。さらに、蓋３０が容器本体２０の開口を閉じた状態で、蓋３０は、外周縁部から排水導入口３０ａに向かって斜め下方に傾斜するように構成されている。これにより、蓋３０の上面に滴下したドレン水が排水導入口３０ａに向かいやすくなるため、ドレン水が蓋３０の排水導入口３０ａから容器本体２０内へと効率よく流れるようになっている。
【００４２】
また、蓋３０は、嵌合部３１と、変形部３２とを有する。嵌合部３１は蓋３０が容器本体２０の開口を閉じるときに本体部２１の上端周縁部２３に嵌ることが可能なように構成されており、変形部３２は蓋３０が容器本体２０の開口を閉じるときに上端周縁部２３の一部に押し当たることで弾性変形するように構成されている。さらに、蓋３０が樹脂製であることで、変形部３２の変形に樹脂の弾性を利用することができる。なお、本実施形態では蓋３０は樹脂製であるが、変形部３２が変形可能であれば蓋３０の材質は樹脂に限定されない。
【００４３】
嵌合部３１は、本体部２１の上端周縁部２３が遊嵌状に差し込み可能な下方に開口した嵌合溝３１ａを含む。嵌合溝３１ａは、図８に示すように、蓋３０の外周縁部下面から下方に突設された外壁部３１ａａと、外壁部３１ａａに対向して位置する内壁部３１ａｂとによって構成されている。
【００４４】
変形部３２は、蓋３０の１つの端部全体が下方に湾曲して成っており、図７に示すように、その断面がＵ字状になるように形成されている。そして、本実施形態では、蓋３０が容器本体２０の開口を閉じた状態で、変形部３２は上端周縁部２３のうち化粧パネル２２近傍の縁部２３ａに対応する位置に設けられている。変形部３２は、この縁部２３ａの内面２３ａｆに押し当たることで、ドレンタンク４０の長手方向に（図７の矢印Ａ方向）に弾性変形する。変形部３２が容器本体２０の縁部２３ａに押し当たって弾性変形し嵌合部３１が上端周縁部２３のうち縁部２３ａ以外の縁部に嵌ることで、蓋３０が容器本体２０に固定されるとともに、開口を塞ぐことができる。さらに、変形部３２は図７の矢印Ａ方向に弾性変形するため、本実施形態では、蓋３０を本体部２１の上端周縁部２３に上方から置いて図７の矢印Ａ方向に軽く抑えるのみで、開口を塞ぐことができる。
【００４５】
さらに、蓋３０は、開閉部３４を有する。開閉部３４は、蓋３０において、蓋３０が容器本体２０の開口を閉じた状態で膨出部２１ｂに対応する位置にある部分である。開閉部３４は、本体部２１内に貯まったドレン水を排出するための排水部として機能する。また、開閉部３４は、ヒンジとして機能する折曲げ部３５を含む。本実施形態の折曲げ部３５は、蓋３０を部分的に薄肉に形成して構成されている。そして、折曲げ部３５の折曲げ中心線Ｌ（図６参照）を中心として開閉部３４の先端部を上方に折曲げることで、容器本体２０の開口の一部が開放されるため、この開口の一部からドレン水を排出することができる（図９参照）。また、本実施形態では、開閉部３４にヒンジとして機能する折曲げ部３５が設けられていることで、蓋３０の開閉がし易くなっているため、ドレンタンク４０からドレン水を容易に排水することができる。
【００４６】
なお、折曲げ部３５は開閉部３４の長手方向に直交する方向に開閉部３４の全長にわたって延在している。また、本実施形態では、折曲げ部３５の剛性は、その周囲よりも小さくなるように構成されている。さらに、本実施形態では、嵌合部３１は折曲げ部３５で分断されている。そして、本実施形態では、容器本体２０の開口を蓋３０が覆った状態で、上端周縁部２３と折曲げ部３５との間には隙間ＩＳ（図６参照）が存在している。
【００４７】
また、開閉部３４は、折曲げ部３５近傍から下方に延びるリブ３６を有している。リブ３６は、図６に示すように、折曲げ部３５の折曲げ中心線Ｌに沿って延びる第１リブ３６ａと、折曲げ中心線Ｌを挟んで第１リブ３６ａに対向する第２リブ３６ｂとを含む。第１リブ３６ａ及び第２リブ３６ｂは、折曲げ中心線Ｌの一端側に位置する第１側面部２５ａ近傍から折曲げ中心線Ｌの他端側に位置する第２側面部２５ｂ近傍まで延びている。なお、本実施形態では、蓋３０が嵌合部３１を有しているため、第１リブ３６ａ及び第２リブ３６ｂは嵌合部３１の内壁部３１ａｂ近傍まで延びている。なお、第１リブ３６ａ及び第２リブ３６ｂが内壁部３１ａｂと接触するように配設されていてもよい。
【００４８】
このドレンタンク４０では、第１リブ３６ａ及び第２リブ３６ｂが設けられており満水状態時のドレン水の水面高さが本体部２１の上端周縁部２３よりも下側の位置に設定されているため、本体部２１内にドレン水が貯まって満水状態になったとしても、折曲げ部３５の下側には蓋３０の下面部、第１リブ３６ａ、第２リブ３６ｂ、第１側面部２５ａ、第２側面部２５ｂ及びドレン水の水面によって規定される空間ＳＡ（図１１参照）に、空気が溜まるようになっている。
【００４９】
なお、本実施形態では、蓋３０が嵌合部３１を有しているが、これに限定されず、蓋３０が嵌合部３１を有していなくてもよい。
【００５０】
（２−４−３）取っ手５０
取っ手５０は、ドレンタンク４０を持ち運ぶときに使用される起倒自在な部材であって、把持部５１と、アーム部５２，５３とを備える。把持部５１は、ドレンタンク４０を持ち運ぶときにユーザによって把持される部分である。アーム部５２，５３は、把持部５１の両端部から本体部２１に向かって延びる一対の部材である。一対のアーム部５２，５３は、それぞれ、本体部２１において角形部２１ａに位置する側面部の外側近傍及び該側面部に対向して位置する側面部の外側近傍に回転軸５４，５５を中心に回動可能に取り付けられている。このため、取っ手５０は、回転軸５４，５５周りに旋回可能となっている。そして、ドレンタンク４０がケーシング１２０の空間Ｓ１に収納されている場合には、図５、図６及び図７に示されるように、把持部５１の自重によって取っ手５０全体が容器本体２０において化粧パネル２２側に位置する状態になり、取っ手５０は蓋３０に対して寝た状態になる。一方、ドレンタンク４０を持ち運ぶときには、ユーザによって把持部５１が把持されて持ち上げられることで、取っ手５０が回転軸５４，５５周りに９０度未満の角度で旋回し、アーム部５２，５３が蓋３０に対して起立した状態になる。そして、この状態で取っ手５０がさらに上方に持ち上げられることで、容器本体２０及び蓋３０が取っ手５０に吊り下げられた状態となり、ドレンタンク４０を持ち運ぶことができる。
【００５１】
（２−５）送風装置
送風装置１９０は、蒸発器１７４及び凝縮器１７２よりも空気流れ下流側の位置に配置されている。送風装置１９０は、シロッコファンであって、羽根１９１と、モータ１９２とを備えている。モータ１９２の駆動により羽根１９１が回転することによって、空気が回転軸１９２ａ方向に沿って吸い込まれ、羽根１９１から遠心方向に吹き出される。これにより、吸込口１４０から吸い込んだ室内の空気を、上方の吹出口１５０から吹き出させることができる。
【００５２】
（３）特徴
（３−１）
上方が開口した本体と開口を覆うことが可能な蓋とを備えたドレンタンクにおいて、蓋が該開口の一部を開放するように折曲げ可能な折曲げ部を有している場合、本体の開口が蓋に覆われた状態であっても本体の上端周縁部と折曲げ部との間には隙間が生じる傾向にある。なお、本実施形態では、折曲げ部３５は開閉部３４の長手方向に直交する方向に開閉部３４の全長にわたって延在しており、折曲げ部３５の剛性は、その周囲よりも小さくなるように構成されている。さらに、嵌合部３１は折曲げ部３５で分断されているため、容器本体２０の開口を蓋３０が覆った状態であっても、上端周縁部２３と折曲げ部３５との間には隙間ＩＳが存在している。
【００５３】
そこで、本実施形態では、蓋３０の開閉部３４が、折曲げ部３５の折曲げ中心線Ｌに沿って延びる第１リブ３６ａと、折曲げ中心線Ｌを挟んで第１リブ３６ａに対向する第２リブ３６ｂとを有している。このため、ドレンタンク４０が持ち運ばれる際に本体部２１内でドレン水が飛び跳ねたとしても、飛び跳ねたドレン水が第１リブ３６ａ及び第２リブ３６ｂに遮られることで上端周縁部２３と折曲げ部３５との間の隙間ＩＳまで到達し難くなり、この結果、ドレン水が隙間ＩＳから外に出難くなる。
【００５４】
これによって、容器本体２０と蓋３０との隙間ＩＳからドレン水が外に漏れるおそれを低減することができている。
【００５５】
（３−２）
本実施形態では、第１リブ３６ａ及び第２リブ３６ｂが、折曲げ中心線Ｌの一端側に位置する第１側面部２５ａ近傍から折曲げ中心線Ｌの他端側に位置する第２側面部２５ｂ近傍まで延びている。そして、本実施形態では満水状態時のドレン水の水面高さが本体部２１の上端周縁部２３よりも下側の位置に設定されているため、折曲げ部３５の下側には蓋３０の下面部、第１リブ３６ａ、第２リブ３６ｂ、第１側面部２５ａ、第２側面部２５ｂ及びドレン水の水面によって規定される空間ＳＡが生じる。このため、ドレンタンク４０が持ち運ばれる際にドレン水の水面に波が生じたとしても、折曲げ部３５近傍で生じる波を小さくすることができる。これにより、ドレン水が隙間ＩＳに到達し難くなり、ドレン水が該隙間ＩＳから外に漏れにくくなっている。
【００５６】
また、図１０に示すように、本実施形態において蓋３０’がリブを有していない場合に、ドレンタンク４０’が持ち運ばれる際に膨出部２１ｂ’側が下になるようにドレンタンク４０’が傾けられると、ドレン水が膨出部２１ｂ’側へ移動するのと同時に本体部の上端周縁部と折曲げ部３５’との間の隙間までドレン水が到達してしまい、隙間からドレン水が外に漏れてしまう。
【００５７】
これに対して本実施形態では、蓋３０が第１リブ３６ａ及び第２リブ３６ｂを有していることで、図１１に示すように、ドレンタンク４０が持ち運ばれる際に膨出部２１ｂ側が下になるようにドレンタンク４０が傾けられたとしても、折曲げ部３５の下側の空間ＳＡに空気が溜まっているため、本体部２１の上端周縁部２３と折曲げ部３５との間の隙間ＩＳからはドレン水よりも先に空気が押し出されることになる。したがって、ドレンタンク４０が持ち運ばれる際にドレンタンク４０が傾けられたとしても、ドレン水が該隙間ＩＳに到達しにくくなり、この結果ドレン水が該隙間ＩＳから外に漏れにくくなっている。
【００５８】
（３−３）
膨出部２１ｂ側が下になるようにドレンタンク４０が傾けた場合、膨出部２１ｂ側が植えになるようにドレンタンク４０が傾けた場合と比較して、本体部２１内に貯まっているドレン水の流れる勢いが増加する。このため、膨出部２１ｂ近傍ではドレン水の水面に大きな波が生じやすくなっている。したがって、本実施形態のように、膨出部２１ｂ近傍に折曲げ部３５が位置していると、膨出部２１ｂ近傍以外の部分（例えば、角形部２１ａの化粧パネル２２側など）に折曲げ部が位置しているよりも、上端周縁部２３と折曲げ部３５との間の隙間ＩＳからドレン水が外に漏れやすくなる。しかしながら、本実施形態では、蓋３０が第１リブ３６ａ及び第２リブ３６ｂを有していることで、ドレン水が該隙間ＩＳから外に漏れにくくなっている。
【００５９】
（３−４）
本実施形態では、蓋３０が容器本体２０の開口を閉じるときに上端周縁部２３に嵌る嵌合部３１を有している。このため、ドレンタンク４０が持ち運ばれる際に本体部２１から蓋３０が外れるおそれを低減することができる。したがって、ドレンタンク４０が持ち運ばれる際に本体からドレン水がこぼれるおそれを低減することができている。
【００６０】
（４）変形例
（４−１）変形例Ａ
上記実施形態に加えて、ドレンタンク４０を持ち運ぶ際にドレン水が外に漏れにくくなるように、蓋３０の折曲げ部３５に対応する位置に本体部２１の側面部の内面から内側に突出する突起部２４が設けられていてもよい。
【００６１】
例えば図１２に示すように、突起部２４として第１側面部２５ａの内面から内側に突出する第１突起部２４ａと第２側面部２５ｂの内面から内側に突出する第２突起部２４ｂとが設けられている場合について説明する。第１突起部２４ａ及び第２突起部２４ｂは、図１２及び図１３に示すように、上端周縁部２３近傍に位置しており、容器本体２０の開口を蓋３０が覆った状態で上端周縁部２３と折曲げ部３５との間に存在する隙間ＩＳに対向するように配置されている。このため、第１突起部２４ａ及び第２突起部２４ｂと蓋３０の折曲げ部３５とは、平面視において一部重なっている。したがって、上端周縁部２３と折曲げ部３５との間にある隙間ＩＳが第１突起部２４ａ及び第２突起部２４ｂに下方から覆われることになる。なお、図１３に示すように、第１リブ３６ａ及び第２リブ３６ｂは、第１突起部２４ａ及び第２突起部２４ｂの両側方に位置している。これにより、本体部２１内でドレン水が飛び跳ねたとしても、本体部２１内で飛び跳ねたドレン水が第１リブ３６ａ及び第２リブ３６ｂに加えて第１突起部２４ａ及び第２突起部２４ｂによっても遮られるため、上端周縁部２３と折曲げ部３５との間にある隙間ＩＳからドレン水が外に漏れるおそれをさらに低減することができる。なお、第１突起部２４ａ及び第２突起部２４ｂが上端周縁部２３と折曲げ部３５との間にある隙間ＩＳの大きさよりも大きければ、上端周縁部２３と折曲げ部３５との間にある隙間ＩＳを第１突起部２４ａ及び第２突起部２４ｂで下方から塞ぐことができるため、ドレン水が隙間ＩＳから外に漏れるおそれをさらに低減することができる。
【００６２】
ここで、本体部２１に設けられる突起部２４の形状はこれに限定されず、例えば図１４に示すように、突起部２４が、折曲げ部３５全体と対向するように、第１側面部２５ａの内面から第２側面部２５ｂの内面まで延びるように設けられていてもよい。平面視において、突起部２４が折曲げ部３５全体と重なるように配置されていることで、突起部２４が折曲げ部３５の一部と重なるように配置されている場合よりも、本体部２１内で飛び跳ねたドレン水が上端周縁部２３と折曲げ部３５との間にある隙間ＩＳから外に漏れるおそれを低減することができる。
【００６３】
また、例えば図１５及び図１６に示すように、突起部２４が、第１側面部２５ａの内面から第２側面部２５ｂの内面まで折曲げ部３５全体と対向するように延びる上面部２４ｃと、上面部２４ｃの下面から鉛直に延びる第１下面部２４ｄと、上面部２４ｃの下面から鉛直に延びており第１下面部２４ｄに対向するように位置する第２下面部２４ｅと、を含んでいてもよい。このように、突起部２４が断面コの字状に形成されていることで、ドレンタンク４０が持ち運ばれる際に、本体部２１内でドレン水が飛び跳ねたとしても、上端周縁部２３と折曲げ部３５との間にある隙間ＩＳからドレン水が外に漏れるおそれをさらに低減することができる。
【００６４】
さらに、例えば図１７に示すように、突起部２４が側面部の内面から内側に延びる水平部１２４ａと水平部１２４ａの先端部上面から鉛直に延びる突出部１２４ｂとを有しており、図１８に示すように、蓋３０において容器本体２０の開口に対応するように位置する部分を覆い部３０ｂとした場合に嵌合部３１の内壁部３１ａｂが覆い部３０ｂよりも上側に位置する上部１３１ａと覆い部３０ｂよりも下側に位置する下部１３１ｂとを含んでいる場合について説明する。図１８に示すように、蓋３０が容器本体２０の開口を閉じるように配置されたとき、外壁部３１ａａは上端周縁部２３の外側に位置しており、内壁部３１ａｂは上端周縁部２３の内側に位置する。また、図１９に示すように、蓋３０が容器本体２０の開口を閉じるように配置されたとき、折曲げ部３５近傍の内壁部３１ａｂの下部１３１ｂは、上端周縁部２３と突出部１２４ｂとの間に位置している。このように、突起部２４が水平部１２４ａの上面から上方に延びる突出部１２４ｂを有していることで、本体部２１内でドレン水が飛び跳ねたとしても、飛び跳ねたドレン水が突出部１２４ｂによって遮られて、水平部１２４ａの上面まで到達し難くなる。この結果、上端周縁部２３と折曲げ部３５との間にある隙間ＩＳからドレン水が外に漏れるおそれを低減することができる。さらに、蓋３０が容器本体２０の開口を閉じるように配置されたときに、折曲げ部３５近傍の内壁部３１ａｂの下部１３１ｂが、上端周縁部２３と突出部１２４ｂとによって構成される溝に入り込んで上端周縁部２３と突出部１２４ｂとの間に位置することで、本体部２１内でドレン水が飛び跳ねたとしても、飛び跳ねたドレン水が突出部１２４ｂだけでなく内壁部３１ａｂの下部１３１ｂによって遮られるため、上端周縁部２３と折曲げ部３５との間にある隙間ＩＳからドレン水が外に漏れるおそれをさらに低減することができる。なお、図１８では、折曲げ部３５が曲がりやすいように、内壁部３１ａｂの下部１３１ｂが一部切り欠かれたものを描いている。
【００６５】
また、図１７、図１８及び図１９では、突出部１２４ｂが水平部１２４ａの先端部上面から鉛直に延びているが、水平部１２４ａに対する突出部１２４ｂの位置はこれに限定されるものではなく、例えば、突出部１２４ｂが水平部１２４ａの先端部よりも側面部側の上面から鉛直に延びていてもよい。
【００６６】
（４−２）変形例Ｂ
上記実施形態の空気清浄機１０は空気清浄機能及び除湿機能のみを有しているが、これら機能に加えて加湿機能を有していてもよい。また、空気清浄機能を更に向上させるために、フィルタユニット及び放電ユニットを空気清浄機１０が備えていてもよい。フィルタユニットを構成する複数のフィルタとしては、空気中の大きな塵埃を取り除くためのプレフィルタ、放電ユニットを通過することで帯電した微細な塵埃や菌等を取り除くための静電集塵フィルタ、活性炭などから構成される脱臭フィルタなどが挙げられる。さらに、酸化分解力の高い活性種を生成するストリーマ放電を発生させるストリーマ放電ユニットを空気清浄機１０が備えていてもよい。
【００６７】
（４−３）変形例Ｃ
上記実施形態では、第１リブ３６ａ及び第２リブ３６ｂが第１側面部２５ａ近傍から第２側面部２５ｂ近傍まで延びておりそれぞれ分断されていないが、これに代えて、図２０に示すように、第１リブ３６ａ及び第２リブ３６ｂが第１側面部２５ａ近傍から第２側面部２５ｂ近傍まで繋がっておらず分断されていてもよい。
【産業上の利用可能性】
【００６８】
本発明は、本体と蓋との隙間からドレン水が外に漏れるおそれを低減することができるものであり、除湿機のドレンタンクへの適用が有効である。
【符号の説明】
【００６９】
１０      空気清浄機（除湿機）
２０      容器本体（本体）
２１ｂ    膨出部
２３      上端周縁部
２４      突起部
２５ａ    第１側面部
２５ｂ    第２側面部
３０      蓋
３１      嵌合部
３５      折曲げ部
３６      リブ
３６ａ    第１リブ
３６ｂ    第２リブ
４０      ドレンタンク
【先行技術文献】
【特許文献】
【００７０】
【特許文献１】特開２００３−９７８２３号公報
【図１】
2015007483.tif 000003
【図２】
2015007483.tif 000004
【図３】
2015007483.tif 000005
【図４】
2015007483.tif 000006
【図５】
2015007483.tif 000007
【図６】
2015007483.tif 000008
【図７】
2015007483.tif 000009
【図８】
2015007483.tif 000010
【図９】
2015007483.tif 000011
【図１０】
2015007483.tif 000012
【図１１】
2015007483.tif 000013
【図１２】
2015007483.tif 000014
【図１３】
2015007483.tif 000015
【図１４】
2015007483.tif 000016
【図１５】
2015007483.tif 000017
【図１６】
2015007483.tif 000018
【図１７】
2015007483.tif 000019
【図１８】
2015007483.tif 000020
【図１９】
2015007483.tif 000021
【図２０】
2015007483.tif 000022